(57)【特許請求の範囲】
【請求項１】
プロセッサにおいて実行される、飛行体の飛行経路生成方法であって、
パラメータ設定部により、構造物に関連する座標と、前記座標からの距離と、前記構造物に関連する高さまたは長さとを含むパラメータを設定するステップと、
飛行経路生成部により、前記パラメータに基づき、前記飛行体が前記構造物の表面に沿って第１方向に進む複数の第１方向飛行経路と、前記飛行体が前記複数の第１方向飛行経路を順次飛行するように第２方向に進む第２方向飛行経路からなる飛行経路を生成するステップと、を含み、
前記パラメータを設定するステップにおいて、
前記距離または前記高さ若しくは前記長さは、ユーザ端末上に表示されたスライドバーの動作に応じて設定され、
前記構造物に関連する座標は、前記高さまたは長さの方向を前記第１方向としたときに当該第１方向に対して垂直な面における前記構造物の中心座標である、
ことを特徴とする飛行経路生成方法。
【請求項２】
前記パラメータを設定するステップにおいて、
前記ユーザ端末上に表示される前記第１方向飛行経路と前記第２方向飛行経路は、前記スライドバーの動作に応じて動的に変化して表示される、
ことを特徴とする請求項１に記載の飛行経路生成方法。
【請求項３】
前記飛行経路を生成するステップは、
前記構造物の側方を一周しない経路が生成可能である、
ことを特徴とする請求項１または２のいずれかに記載の飛行経路生成方法。
【請求項４】
前記パラメータは、さらに、飛行速度、最低飛行高度、ウェイポイントの配置間隔の少なくとも１つを含む、
ことを特徴とする請求項１または３のいずれかに記載の飛行経路生成方法。
【請求項５】
前記飛行経路は、前記飛行体による撮像のための飛行経路であり、
前記パラメータは、さらに、撮像画像の第１方向または第２方向の少なくとも一方のオーバーラップ率を含む、
ことを特徴とする請求項１乃至４のいずれかに記載の飛行経路生成方法。
【請求項６】
前記飛行経路を第１の飛行経路とし、
前記パラメータに基づき、前記飛行体が構造物の周囲を飛行する第２の飛行経路を生成するステップを、さらに含む、
ことを特徴とする請求項１乃至５のいずれかに記載の飛行経路生成方法。
【請求項７】
前記第２の飛行経路を飛行することにより得た情報を基に、前記パラメータを補正し、当該補正されたパラメータに基づき、前記第１の飛行経路を生成する、
ことを特徴とする請求項６に記載の飛行経路生成方法。
【請求項８】
飛行体の飛行経路を生成する管理サーバであって、
構造物に関連する座標と、前記座標からの距離と、前記構造物に関連する高さまたは長さとを含むパラメータを設定するパラメータ設定部と、
前記パラメータに基づき、前記飛行体が前記構造物の表面に沿って第１方向に進む複数の第１方向飛行経路と、前記飛行体が前記複数の第１方向飛行経路を順次飛行するように第２方向に進む第２方向飛行経路からなる飛行経路を生成する飛行経路生成部と、を備え、
前記パラメータ設定部において、
前記距離または前記高さ若しくは前記長さは、ユーザ端末上に表示されたスライドバーの動作に応じて設定され、
前記構造物に関連する座標は、前記高さまたは長さの方向を前記第１方向としたときに当該第１方向に対して垂直な面における前記構造物の中心座標である、
ことを特徴とする管理サーバ。
【請求項９】
飛行体の飛行経路を生成する飛行経路生成システムであって、
構造物に関連する座標と、前記座標からの距離と、前記構造物に関連する高さまたは長さとを含むパラメータを設定するパラメータ設定部と、
前記パラメータに基づき、前記飛行体が前記構造物の表面に沿って第１方向に進む複数の第１方向飛行経路と、前記飛行体が前記複数の第１方向飛行経路を順次飛行するように第２方向に進む第２方向飛行経路からなる飛行経路を生成する飛行経路生成部と、を備え、
前記パラメータ設定部において、
前記距離または前記高さ若しくは前記長さは、ユーザ端末上に表示されたスライドバーの動作に応じて設定され、
前記構造物に関連する座標は、前記高さまたは長さの方向を前記第１方向としたときに当該第１方向に対して垂直な面における前記構造物の中心座標である、
ことを特徴とする飛行経路生成システム。
【請求項１０】
飛行体の飛行経路生成方法をプロセッサにおいて実行するためのプログラムであって、
前記飛行経路生成方法は、
パラメータ設定部により、構造物に関連する座標と、前記座標からの距離と、前記構造物に関連する高さまたは長さとを含むパラメータを設定するステップと、
飛行経路生成部により、前記パラメータに基づき、前記飛行体が前記構造物の表面に沿って第１方向に進む複数の第１方向飛行経路と、前記飛行体が前記複数の第１方向飛行経路を順次飛行するように第２方向に進む第２方向飛行経路からなる飛行経路を生成するステップと、を含み、
前記パラメータを設定するステップにおいて、
前記距離または前記高さ若しくは前記長さは、ユーザ端末上に表示されたスライドバーの動作に応じて設定され、
前記構造物に関連する座標は、前記高さまたは長さの方向を前記第１方向としたときに当該第１方向に対して垂直な面における前記構造物の中心座標である、
ことを特徴とするプログラム。
【発明の詳細な説明】
【技術分野】
【０００１】
本発明は、飛行体の飛行経路作成方法及び管理サーバに関する。
【背景技術】
【０００２】
近年、ドローン（Ｄｒｏｎｅ）や無人航空機（ＵＡＶ：Ｕｎｍａｎｎｅｄ  Ａｅｒｉａ
ｌ  Ｖｅｈｉｃｌｅ）などの飛行体（以下、「飛行体」と総称する）が産業に利用され始
めている。こうした中で、特許文献１には、飛行体が予め設定された複数のウェイポイン
トにおいて撮影対象を順次撮影するシステムが開示されている。
【先行技術文献】
【特許文献】
【０００３】
【特許文献１】特開２０１４−０８９１６０号公報
【発明の概要】
【発明が解決しようとする課題】
【０００４】
しかしながら、上記特許文献１の開示技術では、飛行体の飛行経路を作成するために、
全てのウェイポイントを手入力等で予め設定して記憶させる必要がある。そのため、飛行
経路が長くなった際には、飛行経路全域に対してウェイポイントを設定することは手間が
かかるものとなり、特に作業時間が短く限定されている状況では、迅速性に欠けるもので
あった。
【０００５】
また、従来から、構造体を周回するようにウェイポイントを設定して飛行経路を作成す
ることも知られているが、この場合、構造体が他の構造体と近接していると、構造体を周
回することができず、そもそも飛行経路を作成することができないという問題が生じ得る
。
【０００６】
本発明はこのような背景を鑑みてなされたものであり、飛行体の飛行経路を作成する作
業において、飛行経路の少なくとも一部に対して手入力等によりウェイポイントを設定す
る必要のない簡便な管理サーバ及び管理システムを提供すること、特に構造体の側方を一
周できない環境下でも利用可能な飛行経路生成方法及び管理サーバを提供することを目的
とする。
【課題を解決するための手段】
【０００７】
上記課題を解決するための本発明の主たる発明は、構造物の表面に沿って飛行する飛行
体の飛行経路生成方法であって、前記構造物に関連する座標と、前記座標からの距離と、
前記構造物に関連する高さまたは長さとを含むパラメータを設定するステップと、前記パ
ラメータに基づき、前記飛行体が構造物の表面に沿って第１方向に往復しながら第１方向
に対して垂直な第２方向に進む飛行経路を生成するステップと、を含む飛行経路生成方法
、である。
【発明の効果】
【０００８】
本発明によれば、特に、飛行体の飛行経路を作成する作業において、飛行経路の少なく
とも一部に対して手入力等によりウェイポイントを設定する必要のない簡便な飛行経路生
成方法及び管理サーバを提供することができ、特に構造体の側方を一周できない環境下で
も利用可能な飛行経路生成方法及び管理サーバを提供することができる。
【図面の簡単な説明】
【０００９】
【図１】本発明の実施の形態にかかる管理システムの構成を示す図である。
【図２】図１の管理サーバのハードウェア構成を示すブロック図である。
【図３】図１のユーザ端末のハードウェア構成を示すブロック図である。
【図４】図１の飛行体のハードウェア構成を示すブロック図である。
【図５】図１の管理サーバの機能を示すブロック図である。
【図６】図５のパラメータ情報記憶部の構造を示すブロック図である。
【図７】本発明の実施の形態にかかる飛行経路生成方法のフローチャートである。
【図８】本発明の実施の形態にかかる表示画面の一例である。
【図９】本発明の実施の形態にかかる表示画面の一例である。
【図１０】本発明の実施の形態にかかる表示画面の一例である。
【図１１】本発明の実施の形態にかかる表示画面の一例である。
【図１２】本発明の実施の形態にかかる表示画面の一例である。
【図１３】本発明の実施の形態にかかる表示画面の一例である。
【図１４】本発明の実施の形態にかかる表示画面の一例である。
【図１５】本発明の実施の形態にかかる表示画面の一例である。
【図１６】本発明の実施の形態にかかる表示画面の応用例である。
【図１７】本発明の実施の形態にかかる表示画面の他の例である。
【発明を実施するための形態】
【００１０】
本発明の実施形態の内容を列記して説明する。本発明の実施の形態によるフライト管理
サーバ及びフライト管理システムは、以下のような構成を備える。
［項目１］
構造物の表面に沿って飛行する飛行体の飛行経路生成方法であって、
前記構造物に関連する座標と、前記座標からの距離と、前記構造物に関連する高さまた
は長さとを含むパラメータを設定するステップと、
前記パラメータに基づき、前記飛行体が構造物の表面に沿って第１方向に往復しながら
第１方向に対して垂直な第２方向に進む飛行経路を生成するステップと、
を含む飛行経路生成方法。
［項目２］
前記飛行経路を生成するステップは、
前記構造物の側方を一周しない経路が生成可能である、
ことを特徴とする項目１に記載の飛行経路生成方法。
［項目３］
前記パラメータは、さらに、飛行速度、最低飛行高度、ウェイポイントの配置間隔の少
なくとも１つを含む、
ことを特徴とする項目１または２に記載の飛行経路生成方法。
［項目４］
前記飛行経路を生成するステップは、
前記座標及び前記距離により導かれる頂点を複数個有する多角形の前記頂点上を縦方向
に順次往復する、
ことを特徴とする項目１乃至３に記載の飛行経路生成方法。
［項目５］
前記飛行経路は、前記飛行体による撮像のための飛行経路であり、
前記パラメータは、さらに、撮像画像の第１方向または第２方向の少なくとも一方のオ
ーバーラップ率を含む、
ことを特徴とする項目１乃至４に記載の飛行経路生成方法。
［項目６］
前記飛行経路を第１の飛行経路とし、
前記パラメータに基づき、前記飛行体が構造物の周囲を飛行する第２の飛行経路を生成
するステップを、さらに含む、
ことを特徴とする項目１乃至５に記載の飛行経路生成方法。
［項目７］
前記第２の飛行経路を飛行することにより得た情報を基に、前記パラメータを補正し、
当該補正されたパラメータに基づき、前記第１の飛行経路を生成する、
ことを特徴とする項目６に記載の飛行経路生成方法。
［項目８］
構造物の表面に沿って飛行する飛行体の飛行経路を生成する管理サーバであって、
前記構造物に関連する座標と、前記座標からの距離と、前記構造物に関連する高さまた
は長さとを含むパラメータを設定するパラメータ設定部と、
前記パラメータに基づき、前記飛行体が構造物の表面に沿って第１方向に往復しながら
第１方向に対して垂直な第２方向に進む飛行経路を生成する飛行経路生成部と、
を備える管理サーバ。
【００１１】
＜実施の形態の詳細＞
以下、本発明の実施の形態による飛行体の飛行経路生成方法及び管理サーバについての
実施の形態を説明する。添付図面において、同一または類似の要素には同一または類似の
参照符号及び名称が付され、各実施形態の説明において同一または類似の要素に関する重
複する説明は省略することがある。また、各実施形態で示される特徴は、互いに矛盾しな
い限り他の実施形態にも適用可能である。
【００１２】
＜構成＞
図１に示されるように、本実施の形態における管理システムは、管理サーバ１と、一以
上のユーザ端末２と、一以上の飛行体４と、一以上の飛行体格納装置５とを有している。
管理サーバ１と、ユーザ端末２と、飛行体４と、飛行体格納装置５は、ネットワークを介
して互いに通信可能に接続されている。なお、図示された構成は一例であり、これに限ら
ず、例えば、飛行体格納装置５を有さずに、ユーザにより持ち運びされる構成などでもよ
い。
【００１３】
＜管理サーバ１＞
図２は、管理サーバ１のハードウェア構成を示す図である。なお、図示された構成は一
例であり、これ以外の構成を有していてもよい。
【００１４】
図示されるように、管理サーバ１は、複数のユーザ端末２と、飛行体４、飛行体格納装
置５と接続され本システムの一部を構成する。管理サーバ１は、例えばワークステーショ
ンやパーソナルコンピュータのような汎用コンピュータとしてもよいし、或いはクラウド
・コンピューティングによって論理的に実現されてもよい。
【００１５】
管理サーバ１は、少なくとも、プロセッサ１０、メモリ１１、ストレージ１２、送受信
部１３、入出力部１４等を備え、これらはバス１５を通じて相互に電気的に接続される。
【００１６】
プロセッサ１０は、管理サーバ１全体の動作を制御し、各要素間におけるデータの送受
信の制御、及びアプリケーションの実行及び認証処理に必要な情報処理等を行う演算装置
である。例えばプロセッサ１０はＣＰＵ（Ｃｅｎｔｒａｌ  Ｐｒｏｃｅｓｓｉｎｇ  Ｕｎ
ｉｔ）および／またはＧＰＵ（Ｇｒａｐｈｉｃｓ  Ｐｒｏｃｅｓｓｉｎｇ  Ｕｎｉｔ）で
あり、ストレージ１２に格納されメモリ１１に展開された本システムのためのプログラム
等を実行して各情報処理を実施する。
【００１７】
メモリ１１は、ＤＲＡＭ（Ｄｙｎａｍｉｃ  Ｒａｎｄｏｍ  Ａｃｃｅｓｓ  Ｍｅｍｏｒ
ｙ）等の揮発性記憶装置で構成される主記憶と、フラッシュメモリやＨＤＤ（Ｈａｒｄ  
Ｄｉｓｃ  Ｄｒｉｖｅ）等の不揮発性記憶装置で構成される補助記憶と、を含む。メモリ
１１は、プロセッサ１０のワークエリア等として使用され、また、管理サーバ１の起動時
に実行されるＢＩＯＳ（Ｂａｓｉｃ  Ｉｎｐｕｔ  ／  Ｏｕｔｐｕｔ  Ｓｙｓｔｅｍ）、
及び各種設定情報等を格納する。
【００１８】
ストレージ１２は、アプリケーション・プログラム等の各種プログラムを格納する。各
処理に用いられるデータを格納したデータベースがストレージ１２に構築されていてもよ
い。
【００１９】
送受信部１３は、管理サーバ１をネットワークおよびブロックチェーンネットワークに
接続する。なお、送受信部１３は、Ｂｌｕｅｔｏｏｔｈ（登録商標）及びＢＬＥ（Ｂｌｕ
ｅｔｏｏｔｈ  Ｌｏｗ  Ｅｎｅｒｇｙ）の近距離通信インターフェースを備えていてもよ
い。
【００２０】
入出力部１４は、キーボード・マウス類等の情報入力機器、及びディスプレイ等の出力
機器である。
【００２１】
バス１５は、上記各要素に共通に接続され、例えば、アドレス信号、データ信号及び各
種制御信号を伝達する。
【００２２】
＜ユーザ端末２＞
図３に示されるユーザ端末２もまた、プロセッサ２０、メモリ２１、ストレージ２２、
送受信部２３、入出力部２４等を備え、これらはバス２５を通じて相互に電気的に接続さ
れる。各要素の機能は、上述した管理サーバ１と同様に構成することが可能であることか
ら、各要素の詳細な説明は省略する。
【００２３】
＜飛行体４＞
図４は、飛行体４のハードウェア構成を示すブロック図である。フライトコントローラ
４１は、プログラマブルプロセッサ（例えば、中央演算処理装置（ＣＰＵ））などの１つ
以上のプロセッサを有することができる。
【００２４】
また、フライトコントローラ４１は、メモリ４１１を有しており、当該メモリにアクセ
ス可能である。メモリ４１１は、１つ以上のステップを行うためにフライトコントローラ
が実行可能であるロジック、コード、および／またはプログラム命令を記憶している。ま
た、フライトコントローラ４１は、慣性センサ（加速度センサ、ジャイロセンサ）、ＧＰ
Ｓセンサ、近接センサ（例えば、ライダー）等のセンサ類４１２を含みうる。
【００２５】
メモリ４１１は、例えば、ＳＤカードやランダムアクセスメモリ（ＲＡＭ）などの分離
可能な媒体または外部の記憶装置を含んでいてもよい。カメラ／センサ類４２から取得し
たデータは、メモリ４１１に直接に伝達されかつ記憶されてもよい。例えば、カメラ等で
撮影した静止画・動画データが内蔵メモリ又は外部メモリに記録されてもよいが、これに
限らず、カメラ／センサ４２または内蔵メモリからネットワークＮＷを介して、少なくと
も管理サーバ１やユーザ端末２、飛行体格納装置５のいずれかに１つに記録されてもよい
。カメラ４２は飛行体４にジンバル４３を介して設置される。
【００２６】
フライトコントローラ４１は、飛行体の状態を制御するように構成された図示しない制
御モジュールを含んでいる。例えば、制御モジュールは、６自由度（並進運動ｘ、ｙ及び
ｚ、並びに回転運動θｘ、θｙ及びθｚ）を有する飛行体の空間的配置、速度、および／
または加速度を調整するために、ＥＳＣ４４（Ｅｌｅｃｔｒｉｃ  Ｓｐｅｅｄ  Ｃｏｎｔ
ｒｏｌｌｅｒ）を経由して飛行体の推進機構（モータ４５等）を制御する。バッテリー４
８から給電されるモータ４５によりプロペラ４６が回転することで飛行体の揚力を生じさ
せる。制御モジュールは、搭載部、センサ類の状態のうちの１つ以上を制御することがで
きる。
【００２７】
フライトコントローラ４１は、１つ以上の外部のデバイス（例えば、送受信機（プロポ
）４９、端末、表示装置、または他の遠隔の制御器）からのデータを送信および／または
受け取るように構成された送受信部４７と通信可能である。送受信機４９は、有線通信ま
たは無線通信などの任意の適当な通信手段を使用することができる。
【００２８】
例えば、送受信部４７は、ローカルエリアネットワーク（ＬＡＮ）、ワイドエリアネッ
トワーク（ＷＡＮ）、赤外線、無線、ＷｉＦｉ、ポイントツーポイント（Ｐ２Ｐ）ネット
ワーク、電気通信ネットワーク、クラウド通信などのうちの１つ以上を利用することがで
きる。
【００２９】
送受信部４７は、センサ類４２で取得したデータ、フライトコントローラ４１が生成し
た処理結果、所定の制御データ、端末または遠隔の制御器からのユーザコマンドなどのう
ちの１つ以上を送信および／または受け取ることができる。
【００３０】
本実施の形態によるセンサ類４２は、慣性センサ（加速度センサ、ジャイロセンサ）、
ＧＰＳセンサ、近接センサ（例えば、ライダー）、またはビジョン／イメージセンサ（例
えば、カメラ）を含み得る。
【００３１】
＜管理サーバの機能＞
図５は、管理サーバ１に実装される機能を例示したブロック図である。本実施の形態に
おいては、管理サーバ１は、通信部１１０、フライトミッション生成部１２０、過去飛行
経路呼出部１３０、レポート生成部１４０、記憶部１６０を備えている。フライトミッシ
ョン生成部１２０は、飛行経路生成部１２１を含む。また、記憶部１６０は、飛行経路情
報記憶部１６２、フライトログ記憶部１６４、パラメータ情報記憶部１６６の各種データ
ベースを含む。さらに、図６に示すように、パラメータ情報記憶部１６６は、構造物座標
記憶部１６２１、距離記憶部１６２２、構造物高さ（長さ）記憶部１６２３、飛行速度記
憶部１６２４、最低飛行高度記憶部１６２５、ウェイポイント間隔記憶部１６２６を含む
。
【００３２】
通信部１１０は、ユーザ端末２や、飛行体４、飛行体格納装置５と通信を行う。通信部
１１０は、ユーザ端末２から、フライト依頼を受け付ける受付部としても機能する。
【００３３】
フライトミッション生成部１２０は、フライトミッションを生成する。フライトミッシ
ョンは、少なくとも飛行経路を含む。新たな飛行経路は、パラメータ情報記憶部１６６を
参照して飛行経路生成部１２１により生成され、飛行経路生成の具体例は後述するが、例
えば図１０や図１１に記載されるようなパラメータ情報を基に、全ての飛行経路が自動的
に生成される構成でもよいし、予め登録済みの飛行経路または過去に設定した飛行経路を
呼び出す構成でもよいし、構造物の形状の複雑さ若しくは構造物の周辺環境、許容される
作業時間及び作業量に応じて、一部のウェイポイントを手動で設定／編集するようにして
もよい。
【００３４】
なお、飛行経路は、例えば、飛行体格納装置５を有さずに、ユーザにより機体を持ち運
びされた位置を飛行開始位置としたり、飛行終了位置においてユーザが機体を回収したり
する構成などでもよいし、管理サーバ１により管理された飛行体格納装置５の情報（例え
ば、位置情報や格納状態情報、格納機情報など）を基に、飛行開始位置または飛行終了位
置として選択された飛行体格納装置５の位置も含めた飛行経路として生成される構成でも
よい。
【００３５】
過去飛行経路呼出部１３０は、飛行経路情報記憶部１６２を参照して、過去飛行経路を
今回の飛行経路として呼び出す。過去に生成された飛行経路は、飛行経路情報記憶部１６
２に手動または自動で保存されている。なお、過去飛行経路は、呼出前または呼出後に飛
行経路の一部を変更可能である。
【００３６】
パラメータ情報記憶部１６６は、飛行経路生成部１２１により飛行経路を生成する際に
用いられるパラメータ情報を格納している。具体的なパラメータの例としては、構造物に
関する座標と、当該座標からの距離と、構造物に関する高さ、飛行速度、最低飛行高度、
ウェイポイントの配置間隔、多角形の角数（構造物に関連する座標及び当該座標からの距
離により導かれる頂点の数）であり、特に飛行体４にて構造物を撮像する場合には、撮像
画像の縦方向または横方向の少なくとも一方のオーバーラップ率をさらに含む。
【００３７】
レポート生成部１４０は、フライトログ記憶部１６４に基づいてユーザ端末２に送信す
るためのレポート情報を生成する。本実施の形態においては、例えば、フライトミッショ
ンにて設定された飛行経路上にて、飛行体４により取得された情報（静止画像、動画像、
音声その他の情報）が、フライトログ記憶部１６４に蓄積される。
【００３８】
＜飛行経路生成方法の一例＞
図７−１６を参照して、本実施形態にかかる飛行経路生成方法（特に、新規でフライト
プランを設定する際の飛行経路生成方法）について、本実施の形態における管理システム
の動作も含めて説明する。図７には、本実施形態にかかる飛行経路生成方法のフローチャ
ートが例示されている。このフローチャートでは、例示的にユーザ端末２上でアプリケー
ションを起動する構成を示しているが、これに限らず、例えば管理サーバ１や飛行体格納
装置５がアプリケーションを起動可能なプロセッサと入出力装置を有し、各種設定等が可
能な構成であってもよい。なお、図８−１６は、本発明の実施の形態にかかる飛行経路生
成方法に関連する表示画面の一例である。
【００３９】
まず、ユーザは、ユーザ端末２において、例えば飛行体のアプリケーションを起動する
（ＳＱ１０１）。このアプリケーションは、例えばユーザ端末２に記憶されていてもよい
し、ネットワークを介して接続される管理サーバ１または他のサーバ（不図示）から提供
されるソフトウェア（いわゆるＳａａＳ）であってもよい。必要に応じてログイン画面が
表示され、例えばログインＩＤやパスワードを要求する構成にしてもよい。
【００４０】
次に、ユーザは、フライトプランを選択する（ＳＱ１０２）。図８に例示されるように
、ユーザ端末２の入出力部２４に含まれる表示部には、例えば、過去飛行経路呼出部１３
０により飛行経路情報１６２から呼び出された過去の飛行経路（フライトプラン）を表示
しており、ユーザは、これら過去の飛行経路の中から今回の飛行経路を選択してもよい（
ＳＱ２０１）。また、事前にフライトプランを登録しておくようにしてもよく、さらに、
フライト済みのフライトプランを表示させないように設定可能としてもよい。また、ユー
ザは、過去のフライトプランや登録済みのフライトプランの編集が必要か選択し（ＳＱ２
０２）、新規のフライトプランとしてもよい。以下、ユーザが新規のフライトプランを作
成することを選択したとして説明を進める。
【００４１】
次に、ユーザは、新規のフライトプランを作成する（ＳＱ１０３）。図９に例示される
ように「プラン名」や「エリア名」、「住所」などを設定して、新規のフライトプランの
作成を開始する。なお、ユーザ端末２上でＡＰＩ（Ａｐｐｌｉｃａｔｉｏｎ  Ｐｒｏｇｒ
ａｍｍｉｎｇ  Ｉｎｔｅｒｆａｃｅ）やアプリケーションソフトなどを用いて、ここで入
力された「住所」から検索された地図を表示してもよく、ズームイン／ズームアウトも可
能にしてもよい。これにより、何れの地点のフライトプランを作成するかが、よりわかり
やすくなる。
【００４２】
次に、ユーザは、飛行経路生成に関連するパラメータを設定する（ＳＱ１０４）。例え
ば、図１０に例示されるように、ユーザは、構造物に関連する座標（例示では、中心座標
と記載されているが、これに限らない。）、当該座標からの距離（例示では、構造物の半
径と記載されているが、これに限らない。）、構造物に関連する高さまたは長さを設定す
る。それにより、例えば、飛行経路生成部１２１は、構造物に関連する座標から所定の方
角へ、ユーザに設定された距離を進んだ座標を、予め設定された多角形の１つ目の頂点と
して設定する。そして、当該多角形の形状から導かれる頂点間の中心角度とユーザに設定
された距離に基づき、全ての頂点の座標を設定する。最後に、当該頂点の座標と構造物に
関する高さまたは長さに基づき、縦方向の飛行経路１０１が設定される。なお、構造物に
関連する座標とは、例えば構造物の中心座標であり得るが、これに限らず、構造物が位置
する敷地内の何れかの座標であったり、複数の構造物の間の座標であったりと、構造物の
表面に沿って（構造物の外面のほか内面の少なくとも一部に沿うことも含む）飛行するに
あたり、ユーザが希望する飛行経路に合わせて適宜設定されるものである。また、構造物
に関連する座標とは、例えば平面上の座標（いわゆる、ｘ軸座標とｙ軸座標）や緯度と経
度などであってもよい。
【００４３】
そして、飛行経路生成部１２１は、さらに、各縦方向の飛行経路１０１を一度の飛行で
網羅的に飛べるように、横方向の飛行経路１０２でつなぐことで、最終的な飛行経路を生
成する。なお、例示した飛行経路に限らず、例えば、縦方向が地面に対して垂直でなくて
もよく、縦方向の飛行経路１０１の上端または下端を形成する多角形の頂点を始点または
終点として結んだ飛行経路であればよい。この場合、縦方向の飛行経路１０１が地面に対
して斜め方向である場合には、必要に応じて、少なくとも一部の横方向の飛行経路１０２
を省略してもよい。また、例えば、横方向の飛行経路１０２は、縦方向の飛行経路１０１
の上端または下端を始点または終点としていなくてもよく、途中に形成されていてもよい
。さらに、例えば、飛行体４が縦方向の飛行経路１０１を一端から他端まで飛行した後、
他端から飛行経路１０１を所定距離（一端までの距離も含む）を引き返し、横方向の飛行
経路１０２を介して次の飛行経路１０１に移行してもよい。
【００４４】
さらに、最終的な飛行経路は、必ずしも構造体の側方を一周しない経路であってもよい
。すなわち、図１５に例示されるように、構造体が他の構造体と近接しているなど、全て
の側方を飛行できない場合であっても、対象部分の縦方向の飛行経路１０１及び横方向の
飛行経路１０２を生成しないことで飛行可能となる。また、これを応用して、図１６に例
示されるように、壁の一面だけに沿って飛行させたい場合には、例えば、四角形の飛行経
路を生成し、一点鎖線の部分の飛行経路２０１を生成しないようにする、または、削除す
ることで、点線の部分の飛行経路２０２により達成することが可能である。
【００４５】
また、構造物に関する高さについては、飛行経路１０１を生成する際に、飛行体４が構
造物の頂部を超えるように、設定された構造物の高さに所定の高さを足した数値を用いて
もよい。そして、距離についても、特に安全性の観点から、設定された距離に所定の距離
を足した数値を用いて飛行経路を生成してもよい。
【００４６】
また、図１０に例示されるように、構造物モデル１０３を表示するようにすると、より
飛行経路が適切かどうかをユーザが直感的に判定しやすい。この構造物モデル１０３は、
用意されたテンプレートから選択するようにしてもよいし、事前にユーザ又は他の事業者
等により作成されていたモデルでもよいし、本飛行経路を生成する前に飛行体４により取
得された情報に基づいて作成されたモデルでもよい。なお、ユーザ端末２上でＡＰＩ（Ａ
ｐｐｌｉｃａｔｉｏｎ  Ｐｒｏｇｒａｍｍｉｎｇ  Ｉｎｔｅｒｆａｃｅ）やアプリケーシ
ョンソフトなどを用いて表示された地図上を選択することで、構造物に関する座標を指定
してもよい。また、構造物に関する座標からの距離や構造物に関する高さは、図示される
ように、スライドバーにより設定可能であってもよく、これに応じて、飛行経路１０１及
び１０２が動的に変化して表示されるようにしてもよい。
【００４７】
さらに、図１１に例示されるように、ユーザが、飛行速度、最低飛行高度、多角形の頂
点の数、ウェイポイントの配置間隔（不図示）などを設定可能にしてもよい。また、飛行
経路生成の目的が、構造物の撮像である場合、撮像画像の縦方向または横方向の少なくと
も一方のオーバーラップ率を設定可能にしてもよい。この時、横方向のオーバーラップ率
は、多角形の角数や、カメラのズーム率などを設定することに用いてもよい。また、ユー
ザ端末２の表示画面に表示された飛行経路１０１及び１０２上に、ウェイポイントを表示
してもよい。
【００４８】
次に、ユーザは、飛行体４にフライトの開始を指示する（ＳＱ１０５）。例えば、図１
２、図１３に例示されるように、飛行体４から受信した現在の位置情報１０４を、ユーザ
端末２に表示してもよい。また、飛行体４の現在位置を飛行経路１０１及び１０２上に動
的に表示されるようにしてもよい。
【００４９】
次に、ユーザは、管理サーバ１にレポートの生成を指示する（ＳＱ１０６）。図１４に
例示されるように、レポートとして、飛行体４が実際に飛行したルートを表示してもよい
。また、レポートとして、飛行体４が取得した情報（例えば、撮像画像など）を並べて表
示するようにしてもよい。さらに、飛行体４が取得した情報を取得した位置がわかるよう
に、飛行体４が実際に飛行したルート上にウェイポイントを選択すると、その位置で何れ
の情報が取得されたか強調される（例えば、撮像画像が色枠で囲われたり、マークが付与
されたり、拡大表示されたりなど）ようにしてもよいし、反対に、取得した情報を選択す
ると、ウェイポイントが強調される（例えば、ウェイポイントを示すマークの色や大きさ
が変更されたりなど）ようにしてもよい。また、ウェイポイントにＩＤを付与して、取得
された情報の周囲に当該ＩＤを表示して、ウェイポイントと取得された情報が関連付けら
れていてもよい。
【００５０】
このように、本発明は、飛行体の飛行経路を作成する作業において、飛行経路の少なく
とも一部に対して手入力等によりウェイポイントを設定する必要のない簡便な飛行経路生
成方法及び管理サーバを提供することができ、特に構造体の側方を一周できない環境下で
も利用可能な飛行経路生成方法及び管理サーバを提供することができる。
【００５１】
＜他の飛行経路生成方法の一例＞
図１７には、本発明の実施の形態にかかる飛行経路生成方法に関連する表示画面の他の
例である。
【００５２】
本実施形態の飛行経路は、例えば、上述の飛行経路生成方法によって生成された飛行経
路で実際に飛行させる前に、構造物の状態や構造物の周辺の状態（風速や風向きなどの周
辺環境を含む）の確認等の目的で設けてもよい。この場合、本実施形態の飛行によって、
構造物に関連する座標や、当該座標からの距離、構造物に関連する高さまたは長さなどを
事前に確認し、確認時に得られた情報を基に、設定されたパラメータを増減して補正また
は修正してもよい。これにより、より正確な最終的な飛行経路を生成可能となる。
【００５３】
また、本実施形態の飛行は、上述の目的等が達成されればよいため、図１７に示した経
路に限らず、例えば実際の飛行経路より上空又は低空を飛行する、所定方向の飛行を制限
する、飛行速度を増加または減少する、ウェイポイントの追加又は省略する、多角形の角
数を増加または減少する等の変更を加えた飛行経路であってもよい。さらに、上述の目的
や安全確認などの目的のために、本実施形態の飛行経路を単独で生成してもよい。
【００５４】
なお、これまでの説明においては、縦方向に往復しながら横方向に進む構成について説
明したが、これに限らず、構造物に沿って横方向に往復しながら縦方向に進む構成であっ
てもよい。より具体的な例としては、例えば、鉛直横方向に延伸した管状の構造物の内側
および／または外側などであってもよいし、トンネルやビニルハウスなどの断面が半円（
いわゆる、かまぼこ型）の構造物の内側および／または外側であってもよい。この場合、
構造物に関する座標には高さ方向の座標（いわゆる、ｚ軸座標）が加味され、当該座標か
ら縦方向に移動した先の座標などに基づき多角形を生成し、当該構造物の幅または長さに
関連した座標に応じて横方向に延伸させてもよい。
【００５５】
また、特に構造物内部のような非ＧＰＳ環境下では、少なくとも飛行開始位置において
、飛行体４の向きを取得してもよく、例えば上述したセンサ類４２により、その向きを取
得してもよい。より具体的には、ＬＩＤＡＲ等により構造物内部の状況を検知してもよい
。また、例えば当該取得した向きに基づいて、上述したフライトコントローラ４１により
、飛行体４の向きを制御してもよい。
【００５６】
また、上述の実施例では飛行体４による構造物の撮影を具体例としたが、例えば構造物
の点検であってもよく、構造物の内壁および／または外壁の所定の事象の有無を点検する
ために利用される装置、機器等を備えていてもよい。より具体的には、撮像装置（可視光
カメラ、赤外線カメラ、金属探知機、超音波測定器等）や、打鍵装置等、探知装置（金属
探知機）、集音装置、臭気測定器、ガス検知器、空気汚染測定器、検出装置（宇宙線、放
射線、電磁波等を検出するための装置）等の内壁を有する点検対象構造物の状態を知るた
めに必要な装置は全て採用され得る。
【００５７】
本発明の飛行体は、マルチコプター・ドローン等の飛行機関連産業において利用するこ
とができ、さらに、本発明は、カメラ等を搭載した空撮用の飛行体としても好適に使用す
ることができる他、セキュリティ分野、農業、インフラ監視、測量、ゴルフ場やテニス場
などのスポーツ会場点検、工場・倉庫等建物の屋根や壁の点検、災害対応、遭難者捜索対
応等の様々な産業にも利用することができる。
【００５８】
上述した実施の形態は、本発明の理解を容易にするための例示に過ぎず、本発明を限定
して解釈するためのものではない。本発明は、その趣旨を逸脱することなく、変更、改良
することができると共に、本発明にはその均等物が含まれることは言うまでもない。
【符号の説明】
【００５９】
１        管理サーバ
２        ユーザ端末
４        飛行体
【要約】      （修正有）【課題】飛行体の飛行経路を作成する作業において、飛行経路の少なくとも一部に対して手入力等によりウェイポイントを設定する必要のない簡便な飛行経路生成方法及び管理サーバを提供する。特に構造体の側方を一周できない環境下でも利用可能な飛行経路生成方法及び管理サーバを提供する。【解決手段】構造物の表面に沿って飛行する飛行体の飛行経路生成方法であって、構造物に関連する座標と、座標からの距離と、構造物に関連する高さまたは長さとを含むパラメータを設定するステップと、パラメータに基づき、前記飛行体が構造物の表面に沿って第１方向に往復しながら第１方向に対して垂直な第２方向に進む飛行経路を生成するステップと、を含む飛行経路生成方法。【選択図】図８【図１】
0006810498.tif 000002
【図２】
0006810498.tif 000003
【図３】
0006810498.tif 000004
【図４】
0006810498.tif 000005
【図５】
0006810498.tif 000006
【図６】
0006810498.tif 000007
【図７】
0006810498.tif 000008
【図８】
0006810498.tif 000009
【図９】
0006810498.tif 000010
【図１０】
0006810498.tif 000011
【図１１】
0006810498.tif 000012
【図１２】
0006810498.tif 000013
【図１３】
0006810498.tif 000014
【図１４】
0006810498.tif 000015
【図１５】
0006810498.tif 000016
【図１６】
0006810498.tif 000017
【図１７】
0006810498.tif 000018